(57)【要約】  気中浮遊汚染物質を低減するシステム及び方法が提供される。空気処理システムは、開口部及びフィルタアセンブリ、殺菌チャンバに連結されているファン、並びに、殺菌チャンバを通った空気流を放出するように構成されている排気部分を含むことができる。ファンは、殺菌チャンバを通してろ過された空気の空気流を発生させるように構成することができ、殺菌チャンバは、少なくとも９０度の総屈曲角度を有する少なくとも１つの屈曲部、及び、空気流にＵＶ放射を照射するように構成されている紫外線(ＵＶ)発光ダイオード（ＬＥＤ）のアレイを有する少なくとも１つの直線的なチャネルを含むことができる。殺菌チャンバの全長対殺菌チャンバの断面積の比は、少なくとも２５であるものとすることができる。【選択図】図１
2020532401.tif 000002
【特許請求の範囲】
【請求項１】
空気処理システムであって、
開口部及びフィルタアセンブリを備える空気吸入エリアと、
殺菌チャンバに連結されているファンであって、前記殺菌チャンバを通してろ過された空気の空気流を発生させるように構成されているファンと、
前記殺菌チャンバを通った空気流を放出するように構成されている排気部分と、を備え、
前記殺菌チャンバは、
少なくとも９０度の総屈曲角度を有する少なくとも１つの屈曲部と、
少なくとも１つの直線的なチャネルであって、前記空気流にＵＶ放射を照射するように構成されている紫外線(ＵＶ)発光ダイオード（ＬＥＤ）のアレイを備える滅菌領域を含む、少なくとも１つの直線的なチャネルと、を備え、
前記殺菌チャンバの全長対前記殺菌チャンバの断面積の比は、少なくとも２５である空気処理システム。
【請求項２】
前記少なくとも１つの屈曲部は複数の屈曲部を含む、請求項１に記載の空気処理システム。
【請求項３】
前記少なくとも１つの屈曲部は、少なくとも１８０度の総屈曲角度を有する、請求項１に記載の空気処理システム。
【請求項４】
前記滅菌領域の長さは、前記空気流から空気中の病原体を９５％低減することを可能にしながらも、前記空気処理システムにわたる圧力降下を最小限に抑えるように構成されている、請求項１に記載の空気処理システム。
【請求項５】
屈曲部の数、総屈曲角度、及び、前記殺菌チャンバの全長対断面積の比は、前記殺菌チャンバから前記ＵＶ放射の少なくとも９３％が逃げることを防止しながらも、前記空気処理システムにわたる圧力降下を最小限に抑えるように構成されている、請求項１に記載の空気処理システム。
【請求項６】
前記フィルタアセンブリはプレフィルタ及び１つ又は複数のフィルタを備え、前記フィルタアセンブリは、非生物の気中浮遊汚染物質を捕捉するように構成されている、請求項１に記載の空気処理システム。
【請求項７】
前記１つ又は複数のフィルタは高効率粒子空気（ＨＥＰＡ）フィルタを含む、請求項１に記載の空気処理システム。
【請求項８】
前記ＵＶ  ＬＥＤのアレイは、２４０ｎｍ〜２８０ｎｍの範囲内の１つ又は複数の波長で放射を放出するように構成されている、請求項１に記載の空気処理システム。
【請求項９】
前記ＵＶ  ＬＥＤは、前記空気流に或るＵＶ放射線量を照射するように構成されており、前記ＵＶ放射線量は、前記殺菌チャンバの計算された滞留時間、計算されたＵＶ放射束、及び、空気中の病原体の９５％の低減という所望の閾値に基づいて計算される、請求項１に記載の空気処理システム。
【請求項１０】
前記排気部分は前記殺菌チャンバの拡散領域に接続し、前記拡散領域は、ＵＶ放射が前記殺菌チャンバから逃げることを防止するように構成されている、請求項１に記載の空気処理システム。
【請求項１１】
前記拡散領域の断面積は段階的であり、前記排気部分に隣接する最大値を有する、請求項６に記載の空気処理システム。
【請求項１２】
ＵＶ反射材料が、前記殺菌チャンバの内面の少なくとも幾らかを覆う、請求項１に記載の空気処理システム。
【請求項１３】
前記殺菌チャンバの前記少なくとも１つの屈曲部は、
前記直線的なチャネルの反対側の端に隣接する２つの屈曲部と、
前記拡散領域にある１つ又は複数の屈曲部であって、前記直線的なチャネルの反対側の端に隣接する前記２つの屈曲部よりも小さい曲率半径を有する、前記拡散領域にある１つ又は複数の屈曲部と、
を含む、請求項１に記載の空気処理システム。
【請求項１４】
前記空気処理システムは、前記殺菌チャンバに配置されるＵＶセンサ及び少なくとも１つの可視指示器をさらに備え、前記ＵＶセンサは、前記ＵＶ  ＬＥＤのアレイのパフォーマンスを監視し、前記少なくとも１つの可視指示器は、前記ＵＶ  ＬＥＤのアレイのパフォーマンスについての情報をユーザに提供する、請求項１に記載の空気処理システム。
【請求項１５】
気中浮遊汚染物質を低減する方法であって、
室内からの空気流をろ過し、非生物の汚染物質を除去する手段と、
ろ過された空気を封じ込められた紫外線(ＵＶ)放射エリアに押し出す空気流を発生させる手段と、
前記封じ込められたＵＶ放射エリア内の前記空気流を所定のＵＶ放射線量に暴露する手段と、
前記照射された空気流を前記封じ込められたＵＶ放射エリアから排気して室内に戻す手段と、を含み、
前記封じ込められたＵＶ放射エリアは、少なくとも９０度の総屈曲角度を有する少なくとも１つの屈曲部を備え、
前記殺菌チャンバの全長対前記殺菌チャンバの断面積の比は、少なくとも２５である方法。
【発明の詳細な説明】
【技術分野】
【０００１】
関連出願への相互参照
本願は、２０１８年３月２５日に出願された国際出願番号第ＰＣＴ／ＵＳ２０１８／０２４２２８号の国際段階の出願であり、２０１７年８月３１日に出願された米国非仮特許出願第６２／５５２，５４７号の優先権の利益を主張するものであり、両出願の内容全体は、参照により本明細書に援用される。
【背景技術】
【０００２】
個人的健康状態における空気の質の役割は、気中浮遊汚染物質に起因する病気を防ぐためにますます重要なものとして認識されている。微粒子が、個人の肺組織に入り、それらの呼吸器系に悪影響を与える。さらに、特定の病原体が、感染した人からエアロゾル化した液滴に入って伝染される可能性がある。これらのエアロゾル化した液滴は、感染した人が部屋から出た後で長時間にわたって部屋に留まる可能性がある。そのようなエアロゾル化した液滴を吸い込むと、新たな人に感染する可能性がある。さらに、空気感染を通じて感染を引き起こすために必要とされるそのような病原体の量は、多くの場合に、直接接触を通じたものよりもはるかに少ない。
【０００３】
最近では、感染率を下げるために、病院及び家の環境において空気中の病原体を低減するように設計されているシステム及び装置が増えてきている。そのような装置は、紫外線（「ＵＶ」）若しくは高効率粒子空気（「ＨＥＰＡ」）タイプのろ過又はそれらの組み合わせを使用して室内の空気を処理することができる。さらに、例えば、感染の日常的及び季節的な大流行と闘うために、他の環境（例えば、住居、職場、旅行等）において、病院において使用される空気処理装置を採用することに関心が持たれている。しかし、十分な空気流及び非常に高い病原体殺傷率を提供するためには、そのような装置は通常、サイズが大きく、家庭使用には実用的ではない可能性がある。
【発明の概要】
【発明が解決しようとする課題】
【０００４】
例えば、そのような市販の病院用の装置の典型的な構造は、多くの場合に、平均的なユーザには困難なメンテナンスを要求する。特に、フィルタ交換は多くの場合に困難なプロセスであり、フィルタを交換しようとするユーザを病原体にさらにさらす可能性がある。さらに、ＵＶ装置は通常は高価であり、ユーザを逃げたＵＶ放射にさらす可能性を有する場合がある。その上、通常の室内で空気を効果的に処理するために必要とされる空気流を達成するために、ファンが採用される場合がある。そのようなファンは、病院ではない環境では不快になるかなりの量の騒音を発生させる傾向にある。したがって、空気清浄／処理装置において実施されるＵＶ空気処理は、住居環境において有用であり得るが、有効性、設計及び安全性に関する本発明の問題が、それらの幅広い適用を妨げる。
【０００５】
本明細書に組み込まれるとともに本明細書の一部を構成する添付の図面は、本発明の例示的な態様を説明する。図面は、上記で与えられた包括的な記載及び以下で与えられる詳細な記載とともに、本発明の特徴を説明する役割を果たす。
【図面の簡単な説明】
【０００６】
【図１】本発明の実施形態に係る空気処理装置の切り欠き図である。
【図２】本発明の実施形態に係る空気処理装置の立面図である。
【図３】図３（ａ）は空気処理装置における使用に好適な一実施形態の予めパッケージングされたセットの切り欠き図であり、図３（ｂ）は図３（ａ）の空気処理装置の殺菌チャンバ内のＵＶ放射の反射のコンピュータ生成された三次元表現である。
【図４】本発明の実施形態に係る空間内の気中浮遊汚染物質を低減する方法を示すプロセスのフロー図である。
【図５】本発明の実施形態に係る空気処理システムの構成要素のブロック図である。
【図６】図６（ａ）〜（ｃ）は、本発明の実施形態に係る直線的な殺菌チャンバ内のＵＶ放射の反射のコンピュータ生成された三次元表現である。図６（ｄ）〜（ｆ）は、それぞれ図６（ａ）〜（ｃ）に示されている殺菌チャンバから逃げる入射するＵＶ放射の量を示す、コンピュータ生成された照射マップを示す図である。
【図７】図７（ａ）〜（ｄ）は、本発明の実施形態に係る長さ対面積の比を有する殺菌チャンバ内のＵＶ放射の反射のコンピュータ生成された三次元表現である。図７（ｅ），（ｆ）は、それぞれ図７（ａ），（ｂ）に示されている殺菌チャンバから逃げる入射するＵＶ放射の量を示すコンピュータ生成された照射マップである。
【図８】例示的な殺菌チャンバの長さ対断面積の比に応じて測定された平均ＵＶ放射漏出を示すグラフである。
【発明を実施するための形態】
【０００７】
添付の図面を参照して、本発明の実施形態を詳細に説明する。可能な限り、同じか又は同様の部分を参照するために、図面を通して同じ参照符号が使用される。特定の例及び実施態様に対してなされる言及は、説明のためのものであり、本発明又は特許請求の範囲の範囲を限定する意図はない。
【０００８】
「例示的な」という文言は、本明細書において、「例、実例又は説明として働く」ことを意味するように用いられる。「例示的」であるものとして本明細書において記載される任意の実施態様は、他の実施態様に勝って好ましいか又は有利であるものと必ずしも解釈されるべきではない。
【０００９】
「ＵＶ放射」という用語は、本明細書において、細胞壁を横切ることが可能な、２９０ｎｍよりも短い波長を有する高エネルギーＵＶ−Ｃ光子を意味するように用いられる。本発明の実施形態において、空気処理に使用されるＵＶ放射は、２００ｎｍ〜３２０ｎｍ範囲の範囲内の１つ又は複数の波長であるものとすることができる。
【００１０】
「束」及び「放射束」という用語は、本明細書において、空気中の病原体の表面に到達する特定の波長の放射の量を意味するように用いられる。「滞在時間」及び「滞留時間」という用語は、本明細書において、空気中の病原体が放射束にさらされたままである持続時間を指すように用いられる。
【００１１】
「汚染物質」という用語は、本明細書において、生物因子（例えば病原体）、化学物質、汚染物質粒子、揮発性有機化合物及び薬品蒸気の全てを含む不純物を指すように用いられる。
【００１２】
本発明の実施形態におけるシステム及び装置は、室内の空気中の病原体を実質的に排除する効果的、安全かつ簡便な方法を提供する。本発明の実施形態において、空気処理システムは、住居環境における使用に最適な性能を提供するために、コンパクトで静かであるものとすることができる。
【００１３】
本発明の実施形態において、空気処理システムは、空気中の病原体の少なくとも９５％を殺傷しながらもパフォーマンスを最適化するように構成されている、空気中に分散した汚染物質及び殺菌チャンバ内で放出されるＵＶ放射を捕捉するための１つ又は複数のフィルタを採用することができる。本発明の実施形態において、ＵＶ放射は、発光ダイオード（ＬＥＤ）の１つ又は複数のアレイによって放出されることができる。空気処理システムは、周囲の空気に対する開口部を有する吸入エリア及びフィルタアセンブリを含むことができる。開口部を通る空気は、浄化のために、フィルタアセンブリによって、及び、システムを通してろ過することができる。ファンは、ろ過された空気を吸入エリアから殺菌チャンバまで運ぶことができ、殺菌チャンバは、処理済みの空気を放出して周囲の環境に戻す排気部分に接続することができる。幾つかの実施形態では、制御回路部を空気処理システム内に含め、ＵＶ  ＬＥＤ及びファンに供給される電力を調節することができる。空気処理システムの本発明の構成要素は、コンパクトなハウジング内に包囲することができる。
【００１４】
本発明の実施形態において、殺菌チャンバは、少なくとも１つの直線的なチャネル及び少なくとも１つの屈曲部を含むことができ、所望の殺傷率（例えば少なくとも９５％）を達成するために十分なＵＶ放射線量を有する空気流を提供しながらも、ＵＶの不要放射が殺菌チャンバから逃げることを防止するように構成されている形状を形成する。
【００１５】
本発明の実施形態において、高出力ＵＶ放出ＬＥＤの少なくとも１つのアレイを、殺菌チャンバの少なくとも１つの直線的なセクション内に位置決めすることができる。ＵＶ  ＬＥＤは、所望の波長及び出力定格に基づいて選択される。幾つかの実施形態では、少なくとも１つのアレイにおけるＵＶ  ＬＥＤは、２６０ｎｍ〜２７０ｎｍの範囲内等の、２４０ｎｍ〜２８０ｎｍの範囲内の１つ又は複数の波長で放射を放出する。
【００１６】
殺菌チャンバの１つ又は複数のセクションの内面は、反射材料でコーティングすることができる。幾つかの実施形態では、殺菌チャンバの内面は、潜在的にＵＶ放射が逃げることを軽減するために、ファン及び排気部分に隣接する縁においてＵＶ放射吸収材料のバンドを有して構成することができる。幾つかの実施形態では、排気部分及び反射材料の双方に視線によってさらされる任意の他の表面も、ＵＶ放射吸収材料でコーティングすることができる。
【００１７】
住居用途の空気処理システムの設計は、ファンからの騒音発生を最小限に抑えることを含むことができる。したがって、実施形態の空気処理システムに含まれるファンは、最小のサイズであり、及び／又は、処理するための部屋内で潜在的な病原体を動かすのに効果的な流量を提供するために必要とされる最小限のレベルで動作することができる。例えば、そのような効果的な流量は、２５０立方フィート／分等の、１８０立方フィート／分〜３００立方フィート／分の範囲内であるものとすることができる。本発明の実施形態において、殺菌チャンバの構造は、ＵＶ放射束を管理し、所望の空気流量を損なうことなく室内の空気を効果的に殺菌するために、重要である。概して、経路の長さ、並びに、空気流経路の屈曲部の数及び角度を増やすことは、空気流のより長い滞留時間につながり、したがって、空気中の病原体を殺傷する上でＵＶ放射の有効性を高める。しかし、そのように増やすことは、空気流の経路を長くし、システムにわたる圧力降下も増大させる。システムにわたる圧力降下の増大は、システムによって発生される全体的な騒音を結果として増大させる可能性がある。したがって、そのようなシステムの設計は、そのような圧力降下を軽減しようとするものである。また、殺菌チャンバ内の高レベルの反射は概して、ＵＶ  ＬＥＤの有効性を最大限に高める。しかし、特定の環境（例えば住居）では、そのような反射される放射が殺菌チャンバから逃げないことを確実にすることが重要である。その結果、同じ流量を達成するために必要とされるファン出力が増大する。住居用途のシステムでは、空気処理システムの動作によって発生される騒音のレベルは、ファンの要件に直接的に依存し、ユーザの快適さのために最小限に抑えられるべきである。
【００１８】
これらの制約は、家庭使用のための十分な病原体殺傷率を達成するコンパクトで低騒音の空気処理装置を提供するようにバランスをとることができ、さらに、ユーザをシステムにおけるＵＶ放射への暴露から防ぐ。具体的には、殺菌チャンバにおける少なくとも１つの屈曲部の曲率半径対滅菌領域の長さの比は、空気処理システムにわたる圧力降下を最小限に抑えるように構成することができ、一方で、空気流からの空気中の病原体の少なくとも９５％の低減及び実質的にＵＶ放射が逃げないことを可能にする。
【００１９】
幾つかの実施形態では、フィルタアセンブリ及び拡散領域は、システム内の圧力降下を低下させるように構成することができる。例えば、プレフィルタ及び１つ又は複数のフィルタは、システムの設計によって可能となる最大限の表面積を有することができ、それによって、フィルタアセンブリを通した抵抗を最小限に抑える。さらに、拡散領域は、排気部分に向かって広がる段階的な形状を有することができ、それによって、空気の、放出される前の流路を短縮する。幾つかの実施形態では、排気部分は、ＵＶ放射が逃げることを防止するように構成されている殺菌チャンバの拡散領域に接続することができる。本発明の実施形態において、殺菌チャンバにおける拡散領域の断面積は、最大のエリアが排気部分に隣接するように段階的にすることができる。拡散領域は、殺菌チャンバ内の他の屈曲部（複数の場合もあり）よりも小さい曲率半径を有することができる１つ又は複数の屈曲部を有することもできる。幾つかの実施形態では、拡散領域における１つ又は複数の屈曲部は、殺菌チャンバ内の他の屈曲部（複数の場合もあり）とは異なる平面にあり得る。
【００２０】
本発明の実施形態において、フィルタアセンブリは、吸入空気流から大きい粒状材料を捕捉するプレフィルタを含むことができる。フィルタアセンブリは、プレフィルタへの暴露後等に、空気流から微粒子を捕捉して除去するためのＨＥＰＡフィルタを含むことができる。幾つかの実施形態では、ＨＥＰＡフィルタは、アメリカ合衆国エネルギー省の規格によって記載されているように、０．３マイクロメートルにおいて９９．９７％の捕集効率という最小限の効率を有することができる。幾つかの実施形態では、フィルタアセンブリは、付加的に又は代替的に、例えば、プレフィルタ及び／又はＨＥＰＡフィルタを通った後で、空気流からガス状汚染物質を除去するための活性炭フィルタを含んでもよい。
【００２１】
本発明の実施形態において、電子機器及び制御モジュールが、空気処理装置への電力入力を調節することができ、ファン及びＵＶ  ＬＥＤを駆動する。電子機器及び制御モジュールは、従来から利用可能な電源によって動作し、遮断器を含むことができる。
【００２２】
図１は、本発明の実施形態による住居用の空気処理装置１００を示している。装置１００は、装置内への空気を許可する開口部を含むことができる吸入エリア１０２、並びに、空気中の粒子及び汚染物質を除去するフィルタアセンブリ１０３を含むことができる。本発明の実施形態において、フィルタの設計は、圧力降下の低下に寄与するために装置１００の全体的なサイズに対して最大限の表面積を有することができる。例えば、フィルタアセンブリ１０３は、約１２インチ長×２４インチ高であるハウジングパネル内に嵌まるように構成することができる。ろ過された空気は、殺菌チャンバ１０６を通して空気流を発生させるファン１０４内に給送することができる。殺菌チャンバ１０６は、少なくとも１つの滅菌領域１０８及び少なくとも１つの屈曲部１１０ａ〜１１０ｃを有することができる。幾つかの実施形態における滅菌領域１０８は、ＵＶ  ＬＥＤアレイ１０９を含む直線的なチャネルであり得る。
【００２３】
直線的なチャネル１０８は、殺菌チャンバ１０６内の空気を、滅菌のために所定のＵＶ放射線量に暴露するように、十分な長さを有して構成することができる。
【００２４】
本発明の実施形態において、ファン１０４内へのろ過された空気の吸入は、屈曲部１１０ａ〜１１０ｃを含む殺菌チャンバを通る空気流の経路に対して垂直な平面内を流れることができる。殺菌チャンバ１０６における屈曲部１１０ａ〜１１０ｃの数、曲率及び位置は、実質的に全てのＵＶ放射が逃げることを防止するとともに、空気流を十分に高いＵＶ放射線量に暴露しながらも、システム内の圧力降下を低下させるように最適化することができる。アレイのＵＶ  ＬＥＤは、直線的なチャネル１０８及び屈曲部１１０ａ〜１１０ｃの構造に基づいて、最大限の量のＵＶ反射率を得るとともに、殺菌チャンバ１０６からＵＶ放射が逃げることを回避するように位置決めすることができる。本発明の実施形態において、そのような位置決めは、光線追跡技術を使用して得ることができる。
【００２５】
殺菌チャンバにおける屈曲部１１０ａ、１１０ｂ及び／又は直線的なチャネル１０８の内面は、研磨アルミニウム等の高反射材料でコーティングすることができる。幾つかの実施形態では、屈曲部１１０ａ、１１０ｂ及び／又は直線的なチャネル１０８の内面は、銅又は銅合金等の天然の殺菌材料でコーティングすることができる。
【００２６】
殺菌チャンバ１０６は、ＵＶ  ＬＥＤアレイ（複数の場合もあり）からの距離が増大するにつれて広がる形状を有することができる拡散領域１１２も含むことができ、それによって、圧力降下を低下させる。拡散領域１１２は、殺菌チャンバ１０６からＵＶ放射が逃げることを防止するために屈曲部を有することもできる。本発明の実施形態において、拡散領域１１２の屈曲部は、屈曲部１１０ａ〜１１０ｃとは異なる曲率半径を有することができる。例えば、拡散領域１１２が殺菌チャンバ１０６の残りの部分よりも広い空気流のためのエリアを有する場合、拡散領域１１２における屈曲部の曲率半径は、１つ又は複数の屈曲部１１０ａ〜１１０ｃの曲率半径よりも小さいものとすることができる。すなわち、拡散領域１１２は、ＵＶ放射がより広いエリアから逃げることを最小限に抑えるために、より狭い屈曲部を有して構成される。幾つかの実施形態では、拡散領域１１２は、ＵＶ放射吸収材料でコーティングすることもできる。
【００２７】
拡散領域１１２は、排気部分１１４に連結し、処理済みの空気流を装置１００から吐き出すことができる。幾つかの実施形態では、拡散領域１１２の屈曲部は、１つ又は複数の屈曲部１１０ａ〜１１０ｃと同じ平面にあるものとすることができる。他の実施形態では、拡散領域１１２の屈曲部は、殺菌チャンバ１０６の残りの部分を通る空気流経路に対して垂直な平面等の、１つ又は複数の屈曲部１１０ａ〜１１０ｃとは異なる平面にあり得る。
【００２８】
幾つかの実施形態では、空気処理装置１００の空気流は、約１００立方フィート／分（ｃｆｍ）〜約７００ｃｆｍの範囲内にあるものとすることができる。幾つかの実施形態では、空気処理装置１００は、圧力降下がファン１０４の動作パラメータ内にあるように構成することができる。例えば、ファン１０４が５００ｃｆｍの空気流を生成可能である場合、全体的な圧力降下は、０．７水柱インチ未満であるものとすることができる。幾つかの実施形態では、殺菌チャンバ内の空気流は、殺菌チャンバ内の１つ又は複数の乱流のエリアを有することができ、高いレイノルズ数を与える（例えば２００００超のレイノルズ数）。
【００２９】
電子機器及び制御モジュール１１６を、少なくとも１つのＵＶ  ＬＥＤのアレイ及びファン１０４に供給される電力を調節するために組み込むことができる。電子機器及び制御モジュール１１６は、１つ又は複数のユニット／集積回路として提供されることができ、空気処理装置１００の電源に結合することができる。本発明の実施形態において、空気処理装置１００は任意の数の付加的な構成要素を含むことができ、これらは全てコンパクトなハウジング１１８内に包囲することができる。
【００３０】
記載したように、殺菌チャンバは、空気流を十分に高いＵＶ放射線量に暴露するように構成されているが、装置のコンパクトなサイズ及び低騒音発生を維持しながらも、ＵＶ放射が逃げることを最適に防止するように、殺菌チャンバの複数のパラメータを調整することができる。特に、そのようなパラメータは、殺菌チャンバにおける空気流の総屈曲角度、及び、殺菌チャンバの長さ対その直径の比等、殺菌チャンバの幾何学的形状に影響を与えるパラメータを含むことができる。本発明の実施形態における殺菌チャンバの直径は、殺菌チャンバの幅にその高さを乗算することで計算することができる、その断面積（「Ｌ／Ａ比」）によって表すことができる。
【００３１】
幾つかの実施形態では、総屈曲角度は、直線的なチャネル１０８と拡散領域１１２との間等の、１つの屈曲部（例えば屈曲部１１０ｃ）の結果であり得る。幾つかの実施形態では、総屈曲角度は、殺菌チャンバ１０８内の複数の屈曲部（例えば屈曲部１１０ａ〜１１０ｃ)の結果であり得る。例えば、殺菌チャンバは、２つ〜５つの屈曲部を有することができ、これは、１つ又は複数の向きの平面にあるものとすることができる。
【００３２】
本発明の実施形態において、殺菌チャンバは、Ｌ／Ａ比が少なくとも２５であるような寸法を有することができ、９０度〜１８０度等の少なくとも９０度の総屈曲角度を有して構成することができる。これらの範囲内で、そのようなパラメータは、装置の特定の特徴、測定値及び他の特性に適合し、サイズ及び圧力降下（すなわち騒音）を最小限に抑えるように調整することができる。
【００３３】
この分析は、幾何学的形状の２つのバリエーション；入力部と出力部との間の角度、及び、断面積対長さの比を検討する。図２（ａ）は、一実施形態の空気処理装置２００の吸入エリアを構成する部分の例示的な構成を示している。装置２００の吸入エリア２０２は、ユーザがフィルタアセンブリ１０３に容易にアクセスして本発明のフィルタを設置及び／又は交換することを可能にする引き離しパネル２０４を含むことができる。引き離しパネル２０４は、室内の空気がフィルタアセンブリを通して装置２００に入るときに通る開口部を提供することができる。
【００３４】
フィルタアセンブリ１０３は、吸入エリアにおいて引き離しパネル２０４に直接的に隣接するプレフィルタ２０６、及び、プレフィルタ２０６に直接的に隣接する少なくとも１つのフィルタ２０８を含むことができる。プレフィルタ２０６は、室内の空気中に浮遊するいずれの大きな粒状物質も排除することができる。少なくとも１つのフィルタ２０８は、例えば、微粒子物質を空気流から除去するように構成されているフィルタ（例えば活性炭フィルタ、ＨＥＰＡフィルタ等）であるものとすることができる。
【００３５】
ユーザは、引き離しパネル２０４に係合し、フィルタアセンブリの１つ又は複数の部分を掃除するか又は交換することができ、それによって、ユーザをファン及び殺菌チャンバに暴露する。したがって、本発明の実施形態における殺菌チャンバは、ＵＶ放射が逃げることを防止するように構成することができ、それによって、引き離しパネル２０４及び／又はフィルタアセンブリが取り外される場合のユーザへの暴露を防止する。
【００３６】
図２（ｂ）は、一実施形態の空気処理装置２５０の吸入エリアを構成する部分の別の例示的な構造を示している。図２（ａ）を参照すると、フィルタアセンブリは、より容易な掃除及び交換のために少なくとも１つのフィルタ（例えば２０６、２０８）を覆って展開される袋を含むことができる。本発明の実施形態において、袋に入ったフィルタユニット２５２は、吸入エリア２５４内でプレフィルタ２５６の後ろにユニット２５２を適切に取り付けるようにタブを有して構成することができる。設置時に、タブは、袋に入ったフィルタユニット２５２がプレフィルタ（例えば２５６）の後ろの位置に摺動し、袋を圧縮することを可能にすることができる。フィルタアセンブリを交換するべきであると判断されると、袋に入ったフィルタユニット２５２を吸入エリア２５４から摺動させて出すことができ、これは、袋を再配置して塵埃を捕らえることを可能にする。幾つかの実施形態では、スリーブ（図示せず）を、吸入エリア２５４において空気処理装置２５０に恒久的に又は取り外し可能に取り付けることができる。スリーブは、吸入エリア２５４の上部付近に位置決めすることができ、プレフィルタ２５６の後ろに設置されるフィルタにわたって延在するように下方に摺動することができる。フィルタが取り外されると、スリーブは、吸入エリア２５４の上部付近のその元の位置に後退して戻ることができる。
【００３７】
幾つかの実施形態では、各フィルタ（例えば２０６、２０８）及び／又はフィルタアセンブリ（例えば１０３、２５２）は、自動識別及びデータ捕捉（ＡＩＤＣ）システム内の特定の識別子を有して構成することができる。そのような識別子は、電子ラベル、例えば無線自動識別（ＲＦＩＤ）タグ、磁気ストリップ等に設けることができる。電子ラベルの対応する読取器を、フィルタ（例えば２０６、２０８）又はフィルタアセンブリ（例えば１０３、２５２）を受け取る吸入エリアの部分に設けることができ、設置時に一意のフィルタ又はフィルタアセンブリの識別を可能にする。制御ユニットは、設置されたフィルタ又はフィルタアセンブリの識別子を関連するメモリ（例えばＲＡＭ）、又は、制御ユニットに結合することができる別個の格納装置（例えばハードディスク、ＣＤ−ＲＯＭ、フラッシュドライブ等）に格納するように構成することができる。その後、フィルタ又はフィルタアセンブリを交換する必要があるとき、空気処理装置は、ユーザが古いフィルタ又はフィルタアセンブリを再使用しようとする場合には、動作を停止させることができる。そのような措置は、空気処理装置の適切なメンテナンスを促すことができ、それによって、本来設計されたパフォーマンスのレベルを確実にする。
【００３８】
幾つかの実施形態では、空気流処理システムの本発明の構成要素のサイズは、簡便なパッケージング及び／又は組み立てを提供するように設計することができる。例えば、図３（ａ）は、販売者又はユーザが空気流処理装置を容易に組み立てることを可能にする、殺菌チャンバ３０２、排気部分３０４、ファン３０６、ＵＶ  ＬＥＤアレイ３０８ａ、３０８ｂ及び吸入エリア３１０を含む予めパッケージングされたセット３００を示している。予めパッケージングされたセット３００の構成要素は、予めパッケージングされたセットとともに含まれるハウジングパネル３１２のサイズの制約内で、上述したような住居使用に合わせて最適化することができる。幾つかの実施形態では、殺菌チャンバ３０２の第１の部分３１４の内面（例えば線３１６の下）は、ＵＶ放射を反射する材料から作るか又はコーティングすることができる。殺菌チャンバ３０２の第２の部分３１８の内面（例えば線３１６の上）及び排気部分３０４の内面は、ＵＶ放射を吸収する材料から作るか又はコーティングすることができる。
【００３９】
記載したように、ＵＶ  ＬＥＤアレイは、殺菌チャンバ内の直線的なチャネル及び屈曲部の構造に基づいて最大量のＵＶ反射を得るとともに、ＵＶ放射が逃げることを回避するように位置決めすることができる。図３（ｂ）は、図３（ａ）における予めパッケージングされたセット３００の殺菌チャンバ３０２及び排気部分３０４に適用されるＵＶ放射反射追跡技術の結果を示している。本発明の実施形態において、そのような光線追跡を使用して、予めパッケージングされたセットの測定値を前提として、ＵＶ  ＬＥＤアレイの最適な位置を計算することができる。
【００４０】
図４は、室内の気中浮遊汚染物質を低減する一実施形態の方法４００を示している。ブロック４０２において、空間からの空気流をろ過し、非生物の汚染物質を除去することができる。例えば、そのようなろ過は、大きな粒子用のプレフィルタ、及び／又は、微粒子を除去する少なくとも１つのフィルタ（例えばＨＥＰＡフィルタ）、及び／又は、有毒ガスを吸収する少なくとも１つのフィルタ（例えば揮発性有機物化学フィルタ）を使用することを伴うことができる。ブロック４０４において、ろ過された空気を封じ込められたＵＶ放射エリアに押し込む流れを発生させることができる。本発明の実施形態において、空気流はファンによって発生させることができ、封じ込められたＵＶ放射の暴露エリアは、ＵＶ  ＬＥＤのアレイを有するチャンバであるものとすることができる。本発明の実施形態において、封じ込められたＵＶ放射エリアの形状及びサイズ、並びに、ＵＶ  ＬＥＤの位置は、封じ込められたエリアの外側のＵＶの不要放射を防止するように構成することができる。
【００４１】
ブロック４０６において、封じ込められたＵＶ放射エリア内の空気を、所定のＵＶ放射線量に暴露することができる。そのような所定のＵＶ放射線量は、ＵＶ  ＬＥＤの数及び位置、並びに、封じ込められたＵＶ放射エリアの内部内において使用される材料を最適化するとともに、封じ込められたＵＶ放射エリアを、必要な滞留時間を可能にするように構成することによって、達成することができる。本発明の実施形態において、住居室の所定のＵＶ放射線量は、空気流中の空気中の病原体の少なくとも９５％を殺傷するか又は無効にするのに十分である。
【００４２】
ブロック４０８において、照射された空気流を、封じ込められたＵＶ放射エリアから排気して室内に戻すことができる。
【００４３】
幾つかの実施形態では、専門化した構成要素を含めることによって、付加的な機能を空気処理システムに加えることができる。例えば、放射束を監視するとともに適切な動作を確実にするために、ＵＶセンサを、実施形態の空気処理装置の殺菌チャンバ内に配置することができる。本発明の実施形態において、そのようなＵＶセンサは、窒化ガリウム（ＧａＮ）、窒化インジウムガリウム（ＩｎＧａＮ）及び／又は窒化アルミニウムガリウム（ＡｌＧａＮ）材料をベースとするような１つ又は複数のＵＶ光検出器を使用することができる。本発明の実施形態において、ＵＶセンサは、装置が働いていることをユーザに確認するために外側から見える指示器と通信するように構成することができる。幾つかの実施形態では、指示器は、空気処理装置の一部として含めることができ、一方で、他の実施形態では、指示器は、空気処理装置と無線通信する別個の装置によって提供することができる。
【００４４】
図５は、例示的な空気処理システム５００の構成要素を示している。システム５００において、電子機器及び制御モジュール５０１を、空気処理装置５０２内の回路基板に実装することができる。電子機器及び制御モジュール５０１は、メモリ装置５０６及び充電制御器５０８に結合されるマイクロコントローラ５０４を含むことができる。充電制御器５０８は、ＡＣ電源及び／又はバッテリであり得る少なくとも１つの電源５１０に接続することができる。空気処理システム５００内の他の構成要素は、ファン５１２、１つ又は複数のＵＶ  ＬＥＤアレイ５１４及びＵＶセンサ５１６を含むことができる。ＵＶセンサ５１６は、１つ又は複数の可視指示器５２０に接続するインタフェース５１８に接続することができる。任意選択的な可視指示器５２０を、空気処理装置５０２の一部として提供することができる。可視指示器５２０は、マイクロコントローラ５０４及びインタフェース５１８に結合することができる。別の任意選択的な可視指示器５２０は、別の装置又はシステム（例えばスマートフォン、タブレット等）の一部であり得る外部の構成要素として提供することができる。インタフェース５１８は、無線通信リンクを通じて可視指示器５２０に接続することができる。
【００４５】
装置５０２は、マイクロコントローラ５０４及びメモリ５０６に結合される電子ラベル読取器５２４（例えばＲＦＩＤ読取器）を任意選択的に含むことができる。上記で説明したように、ＲＦＩＤ読取器５２４は、新たなフィルタアセンブリが設置されるときに識別子を受信し、受信した識別子と、以前に格納されているいずれかとを比較するように構成することができる。新たな識別子が以前に格納された識別子と一致する場合、装置５０２の動作を停止させることができる。そうでなければ、受信した識別子をメモリ５０６に格納することができる。
【００４６】
本発明の実施形態において、電子機器及び制御モジュールは、殺菌チャンバの外側のハウジングに取り付けることができる。１つ又は複数のアレイのＵＶ  ＬＥＤは、電子機器及び制御モジュールに電気的に接続し、殺菌チャンバの一部（例えば直線的なチャネル）の壁の合致する開口部に固定して取り付けることができ、それによって、ＵＶ  ＬＥＤアレイの回路基板は、殺菌チャンバの外側にあり、ＵＶ  ＬＥＤは、殺菌チャンバの滅菌領域内で照射する。ＵＶセンサは、電子機器及び制御モジュールに電気的に接続し、殺菌チャンバの滅菌領域の壁の合致する開口部に固定して取り付けることができ、それによって、センサは、照射レベルを検出することができる。
【００４７】
［実施例］
殺菌チャンバにおける２つの異なるバリエーションの効果を、ＵＶ放射が逃げることの防止における有効性に関して試験した。使用した殺菌チャンバは、３６インチの全長を有するものとし、２６５ｎｍにおいて１０ｍＷの放射を生成するNikkiso社の４つのＶＰＳ１３１を備え付けた。
【００４８】
Alanod社のＭＩＲＯ２（４２００ＧＰ）のコーティングを塗布し、殺菌チャンバの反射部分内の反射面を形成し、結果として９５％の反射率となった。
【００４９】
殺菌チャンバの拡散部分内の表面は、ハードコート陽極酸化処理され、結果として９０％の吸収率となった。結果は、欧州労働安全衛生機関によって「A Non-Binding Guide to the Artificial Optical Radiation Directive 2006/25/EC」に記載されている３０Ｊ／ｍ２の最大の日常的な暴露に基づいて、ＵＶ放射への暴露限界の文脈において評価した。具体的には、１ｍＷ／ｍ２において８時間の期間の暴露限界とした。
【００５０】
光線追跡分析を使用して、殺菌チャンバの排気端におけるＵＶ放射漏出の平均出力を提供した。
【００５１】
［実施例１：殺菌チャンバにおける屈曲部の角度］
殺菌チャンバを、９０度又は１８０度の角度を有する単一の屈曲部によって接続された２つの１８インチのセクションを用いて形成した。０度の屈曲角度を有する（すなわち屈曲部がない）比較用の殺菌チャンバも形成した。殺菌チャンバはそれぞれ、１８．０６平方インチの一定の断面積を有するものとした（すなわち、４．２５インチ幅×４．２５インチ高）。これらの屈曲角度を有する殺菌チャンバからの平均放射漏出を測定し、以下の結果となった：
【表１】
2020532401.tif 000003
【００５２】
上記の結果は、２．０Ｌ／Ａ比を有する直線的な（すなわち０°の屈曲部）殺菌チャンバの使用が、照射漏出を減衰させず、結果として、１ｍＷ／ｍ２という人工光学放射指令の８時間の暴露限界を上回る平均ＵＶ放射漏出となることを示している。
【００５３】
上記の結果は、９０度及び１８０度の屈曲角度が、０度／最大漏出基準値に勝って、それぞれ９３．８６％及び９７．３３％だけＵＶ放射漏出を低下させ、１ｍＷ／ｍ２の限界を優に下回る平均照射測定値を与えることを示している。
【００５４】
試験した殺菌チャンバ（すなわち、０°、９０°及び１８０°の屈曲部）のそれぞれにおける三次元空間内での、ＵＶ放射光線の反射を追跡するコンピュータ生成されたモデルが、図６（ａ）〜図６（ｃ）にそれぞれ示されている。図６（ｄ）〜図６（ｆ）は、図６（ａ）〜図６（ｃ）においてモデリングされたそれぞれの殺菌チャンバから逃げる入射するＵＶ放射の量を示す照射マップである。具体的には、図６（ｄ）〜図６（ｆ）における照射マップはそれぞれ、特定の殺菌チャンバの出口端６０２付近の断面において測定したＵＶ放射光線のコンピュータモデリングした密度を提供する。
【００５５】
図６（ｄ）〜図６（ｆ）の視覚的な比較は、ＵＶ放射が逃げる最低レベルが図６Ｆにおいて生じることを実証しており、これは、図６（ｃ）に示されている１８０°の屈曲部を有する殺菌チャンバのモデルに対応する。
【００５６】
［実施例２：殺菌チャンバの長さ対断面積の比］
３６インチの長さを有する１０個の殺菌チャンバを、以下に挙げる様々な幅及び高さ寸法を用いて形成した：
【表２】
2020532401.tif 000004
【００５７】
殺菌チャンバ１〜１０のＬ／Ａ比は、それらの寸法に基づいて、０．５〜３６の範囲であった。殺菌チャンバは、０度の一定の屈曲角度をそれぞれ有するものとした（すなわち屈曲部がない）。殺菌チャンバ１〜１０のそれぞれからの平均照射漏出を測定し、その結果を、対応するＬ／Ａ比とともに以下に提供する：
【表３】
2020532401.tif 000005
【００５８】
このデータは、２５以上のＬ／Ａ比が、ＵＶ放射漏出を、１ｍＷ／ｍ２の暴露限界を下回る量まで低下させることを明らかにしている。
【００５９】
例えば、試験した殺菌チャンバ番号２（すなわち２５のＬ／Ａ比を有する）、番号４（すなわち７．５のＬ／Ａ比を有する）、番号６（すなわち４のＬ／Ａ比を有する）及び番号９（すなわち０．８９のＬ／Ａ比を有する）内の三次元空間におけるＵＶ放射光線の反射を追跡するコンピュータ生成されたモデルが、図７（ａ）〜図７（ｄ）にそれぞれ示されている。図７（ｅ）及び図７（ｆ）は、図７（ａ）及び図７（ｄ）においてモデリングされた殺菌チャンバから逃げる入射するＵＶ放射の量をそれぞれ示す照射マップである。具体的には、図７（ｅ）及び図７（ｆ）における照射マップは、特定の殺菌チャンバの出口端７０２付近の断面において測定したＵＶ放射光線のコンピュータモデリングした密度を提供する。
【００６０】
図７（ｅ）及び図７（ｆ）の視覚的な比較は、ＵＶ放射が逃げるはるかにより低いレベルが図７（ｅ）において生じることを実証しており、これは、図７（ａ）に示されている２５のＬ／Ａ比を有する殺菌チャンバ（すなわち、試験した殺菌チャンバ番号２)のモデルに対応する。
【００６１】
図８は、実施例２の殺菌チャンバ１〜１０のそれぞれに関する平均ＵＶ照射漏出を示している。図８のグラフにおけるデータは、Ｌ／Ａ比の上昇が、ＵＶ照射漏出測定値の平均レベルを低下させるという傾向を示している。自動曲線当てはめ分析を使用して、データ点を表すために以下の数学関数を生成した：
【００６２】
【数１】
2020532401.tif 000006
【００６３】
それとともに、上記で示されている殺菌チャンバの効果的な構造（すなわち、少なくとも９０度の屈曲角度及び少なくとも２５のＬ／Ａ比）を、組み合わせて実施し、特定の殺菌チャンバの特性（例えば殺菌チャンバの長さ、屈曲部の数等）の最適な構造を特定するために調整することができる。
【００６４】
上述した実施形態は、限定はされないが、住居用途の装置及びシステムを含む、様々なタイプのいずれかにおいて実施することができる。上記の方法の記載は、単に例示的な例として与えられており、本発明の実施形態のプロセスが提示される順序で行われなければならないことを必要とするか又は示唆することを意図するものではない。当業者は、記載した機能を、各特定の空気処理装置の様々な方法で実施することができるが、そのような実施の決定は、本発明の範囲から逸脱するものとして解釈されるべきではない。「以下」、「次いで」、「次に」等のような文言は、プロセスの順序を限定することは意図しない。これらの文言は、方法の記載を通して読み手を案内するために単に用いられている。
【００６５】
本発明の実施形態の上記の記載は、当業者が本発明を作製又は使用することを可能にするために提供されている。これらの実施形態に対する本発明の変更形態が当業者には容易に明らかであり、本明細書において規定される包括的な原理は、本発明の範囲から逸脱することなく他の実施形態に適用することができる。したがって、本発明は、本明細書において示されている実施形態に限定されることを意図せず、その代わりに、特許請求の範囲には、本明細書において開示されている原理及び新規の特徴に一致する最も広い範囲が与えられるべきである。
【図１】
2020532401.tif 000007
【図２】
2020532401.tif 000008
【図３（ａ）】
2020532401.tif 000009
【図３（ｂ）】
2020532401.tif 000010
【図４】
2020532401.tif 000011
【図５】
2020532401.tif 000012
【図６（ａ）】
2020532401.tif 000013
【図６（ｂ）】
2020532401.tif 000014
【図６（ｃ）】
2020532401.tif 000015
【図６（ｄ）】
2020532401.tif 000016
【図６（ｅ）】
2020532401.tif 000017
【図６（ｆ）】
2020532401.tif 000018
【図７（ａ）（ｂ）】
2020532401.tif 000019
【図７（ｃ）（ｄ）】
2020532401.tif 000020
【図７（ｅ）（ｆ）】
2020532401.tif 000021
【図８】
2020532401.tif 000022
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
空気処理システムであって、
開口部及びフィルタアセンブリを備える空気吸入エリアと、
殺菌チャンバに連結されているファンであって、前記殺菌チャンバを通してろ過された空気の空気流を発生させるように構成されているファンと、
前記殺菌チャンバを通った空気流を放出するように構成されている排気部分と、を備え、
前記殺菌チャンバは、
少なくとも９０度の総屈曲角度を有する少なくとも１つの屈曲部と、
少なくとも１つの直線的なチャネルであって、前記空気流にＵＶ放射を照射するように構成されている紫外線(ＵＶ)発光ダイオード（ＬＥＤ）のアレイを備える滅菌領域を含む、少なくとも１つの直線的なチャネルと、を備え、
前記殺菌チャンバの全長対前記殺菌チャンバの断面積の比は、少なくとも２５である空気処理システム。
【請求項２】
前記少なくとも１つの屈曲部は複数の屈曲部を含む、請求項１に記載の空気処理システム。
【請求項３】
前記少なくとも１つの屈曲部は、少なくとも１８０度の総屈曲角度を有する、請求項１に記載の空気処理システム。
【請求項４】
前記滅菌領域の長さは、前記空気流から空気中の病原体を９５％低減することを可能にしながらも、前記空気処理システムにわたる圧力降下を最小限に抑えるように構成されている、請求項１に記載の空気処理システム。
【請求項５】
屈曲部の数、総屈曲角度、及び、前記殺菌チャンバの全長対断面積の比は、前記殺菌チャンバから前記ＵＶ放射の少なくとも９３％が逃げることを防止しながらも、前記空気処理システムにわたる圧力降下を最小限に抑えるように構成されている、請求項１に記載の空気処理システム。
【請求項６】
前記フィルタアセンブリはプレフィルタ及び１つ又は複数のフィルタを備え、前記フィルタアセンブリは、非生物の気中浮遊汚染物質を捕捉するように構成されている、請求項１に記載の空気処理システム。
【請求項７】
前記１つ又は複数のフィルタは高効率粒子空気（ＨＥＰＡ）フィルタを含む、請求項１に記載の空気処理システム。
【請求項８】
前記ＵＶ  ＬＥＤのアレイは、２４０ｎｍ〜２８０ｎｍの範囲内の１つ又は複数の波長で放射を放出するように構成されている、請求項１に記載の空気処理システム。
【請求項９】
前記ＵＶ  ＬＥＤは、前記空気流に或るＵＶ放射線量を照射するように構成されており、前記ＵＶ放射線量は、前記殺菌チャンバの計算された滞留時間、計算されたＵＶ放射束、及び、空気中の病原体の９５％の低減という所望の閾値に基づいて計算される、請求項１に記載の空気処理システム。
【請求項１０】
前記排気部分は前記殺菌チャンバの拡散領域に接続し、前記拡散領域は、ＵＶ放射が前記殺菌チャンバから逃げることを防止するように構成されている、請求項１に記載の空気処理システム。
【請求項１１】
前記拡散領域の断面積は段階的であり、前記排気部分に隣接する最大値を有する、請求項１０に記載の空気処理システム。
【請求項１２】
ＵＶ反射材料が、前記殺菌チャンバの内面の少なくとも幾らかを覆う、請求項１に記載の空気処理システム。
【請求項１３】
前記殺菌チャンバの前記少なくとも１つの屈曲部は、
前記直線的なチャネルの反対側の端に隣接する２つの屈曲部と、
前記拡散領域にある１つ又は複数の屈曲部であって、前記直線的なチャネルの反対側の端に隣接する前記２つの屈曲部よりも小さい曲率半径を有する、前記拡散領域にある１つ又は複数の屈曲部と、
を含む、請求項１０に記載の空気処理システム。
【請求項１４】
前記空気処理システムは、前記殺菌チャンバに配置されるＵＶセンサ及び少なくとも１つの可視指示器をさらに備え、前記ＵＶセンサは、前記ＵＶ  ＬＥＤのアレイのパフォーマンスを監視し、前記少なくとも１つの可視指示器は、前記ＵＶ  ＬＥＤのアレイのパフォーマンスについての情報をユーザに提供する、請求項１に記載の空気処理システム。
【請求項１５】
気中浮遊汚染物質を低減する方法であって、
室内からの空気流をろ過し、非生物の汚染物質を除去する手段と、
ろ過された空気を封じ込められた紫外線(ＵＶ)放射エリアに押し出す空気流を発生させる手段と、
前記封じ込められたＵＶ放射エリア内の前記空気流を所定のＵＶ放射線量に暴露する手段と、
前記照射された空気流を前記封じ込められたＵＶ放射エリアから排気して室内に戻す手段と、を含み、
前記封じ込められたＵＶ放射エリアは、少なくとも９０度の総屈曲角度を有する少なくとも１つの屈曲部を備え、
前記ＵＶ放射エリアの全長対前記殺菌チャンバの断面積の比は、少なくとも２５である方法。
【国際調査報告】
2020532401.tif 000023
2020532401.tif 000024